(57)【要約】【課題】狭小空間において、通常のトルクレンチでは締付け困難或いは不可能な状況でも締付け可能であり、単純でコンパクトな構造のコネクタ締付け工具を提供すること。【解決手段】トルクユニット９のボール機構９ａと係合可能な窪み７ａ−７ｄを有するとともに、本体外郭部１、２と摺動可能に嵌合する溝部８とコネクタの多角ねじ頭部を挟持嵌合する形状の開口部６を有するコネクタ挟持部３、４と、コネクタ挟持部３、４の溝部８と摺動可能に嵌合する円環状部材を２分割し、各端部を開閉自在にヒンジ結合した本体外郭部１、２と、所定のトルク値においてコネクタ挟持部３、４の溝部８に設けた窪みとの係合がはずれるボール機構９ａを有するトルクユニット９と、を含む締付け工具である。【選択図】図１
2009160708.tif 000002
【特許請求の範囲】
【請求項１】
多角ねじ式コネクタの締付け工具であって、
下記トルクユニットのボール機構と係合可能な窪みを有するとともに、下記本体外郭部と摺動可能に嵌合する溝部を外周部に有し、中央部に該コネクタの多角ねじ頭部を挟持嵌合する形状の開口部を有する円盤状部材であるコネクタ挟持部と、
内周部が該コネクタ挟持部の該溝部と摺動可能に嵌合する円環状部材を２分割し、該２分割した円環状部材の各端部を開閉自在にヒンジ結合した本体外郭部と、
所定のトルク値において該コネクタ挟持部の該溝部に設けた該窪みとの係合がはずれるボール機構を有する、前記本体外郭部に設けたトルクユニットと、
を含む締付け工具。
【請求項２】
前記コネクタ挟持部は２分割された構造であることを特徴とする、請求項１に記載の締付け工具。
【請求項３】
前記コネクタ挟持部は、前記外周部の寸法、構造が同じで前記開口部の寸法、形状が異なる複数のコネクタ挟持部が存在し、必要に応じて交換可能となっていることを特徴とする、請求項１又は２に記載の締付け工具。
【請求項４】
前記トルクユニットは、係合がはずれるトルク値を目的に応じて設定変更可能であることを特徴とする、請求項１〜３のいずれか一に記載の締付け工具。
【請求項５】
前記溝の断面形状がコの字形又はＵ字形であることを特徴とする、請求項１〜４のいずれか一に記載の締付け工具。
【請求項６】
前記本体外郭部は、手動で閉止固定及び解除可能なロック機構を有することを特徴とする、請求項１〜５のいずれか一に記載の締付け工具。
【発明の詳細な説明】
【技術分野】
【０００１】
本発明はＳＭＡタイプの多角ねじ式コネクタ締付け工具に関し、特に狭い場所において用いられる多角ねじ式コネクタ締付け工具に関する。
【背景技術】
【０００２】
ＳＭＡ形コネクタに代表される多角ねじ接続型（ねじ式）コネクタは、コネクタの締付け過不足により、接触障害や破損等の不具合が発生する。そのため、締付けにはトルクリミッタのついたトルクレンチを用いることが一般的である。
【０００３】
レンチについては、特許文献１において、大きさの異なるボルトやナットでも、ソケットや部品の交換をすることなく対応可能とするように、開放可能な先端部と噛合部材を有するレンチが開示されている。また、例えば特許文献２では、設定トルクを調節可能としたトルクレンチが開示されている。
【０００４】
しかし昨今の装置内部でのＳＭＡコネクタ締付けは、装置容積の縮小又は機能追加による構成品の増加によりトルクレンチを用いる締付けスペースが減少し、所定のトルクでの締付け確認ができないケースが増加している。
【０００５】
従来、限られた狭い作業空間でのＳＭＡコネクタ締付け作業は、トルク確認機能を有していないスパナを使用しており、締付けトルクは作業者ごとの感覚に依存していた。しかしこれは前述のようにコネクタの締付け過不足により、接触障害や破損等の不具合の発生原因となる。そこで、たとえ狭く限られた箇所に配置されたコネクタといえども、常にトルク確認できる機能を有したスパナによる締付けが要求されている。
【０００６】
特許文献３には、閉空間でもナットを効率的に回転させることができるように、一対のハンドルの一端に挟持部と回転係合部を有するスパナが開示されている。
【０００７】
【特許文献１】特開２００１−２０５５７０号公報
【特許文献２】特開２００３−３３３７３号公報
【特許文献３】特開２００５−３４９５３７号公報
【発明の開示】
【発明が解決しようとする課題】
【０００８】
特許文献１に開示された技術は、開放可能な先端部と噛合部材を有するが、これは大きさの異なる複数のボルトやナットに対応させるためであり、大きさは通常のレンチより大きい。また、特許文献２では、設定トルクを調節可能なラチェット構造が開示されているが、特にその寸法を小さくして狭小空間でのコネクタ締付け作業に適するようにしたものではない。
【０００９】
また、特許文献３には閉空間でもナットを効率的に回転させることができるスパナが開示されているが、連結鉄筋用の大型ナットを側面から締付けるための特殊目的レンチであり、回転係合部の構造が複雑でコンパクトな構造を目的とするものではない。
【００１０】
本発明は、限られた空間において、通常のトルクレンチでは締付け困難或いは不可能な状況でも締付け可能であり、単純でコンパクトな構造のコネクタ締付け工具を提供することを目的とする。
【課題を解決するための手段】
【００１１】
本発明に係る多角ねじ式コネクタの締付け工具は、下記トルクユニット（ばね付勢部材）のボール機構と係合可能な窪み（ボール係合ノッチ）を有するとともに、下記本体外郭部と摺動可能に嵌合する溝部を外周部に有し、中央部に該コネクタの多角ねじ頭部を挟持嵌合する形状の開口部を有する円盤状部材であるコネクタ挟持部と、内周部が該コネクタ挟持部の該溝部と摺動可能に嵌合する円環状部材を２分割し、該２分割した円環状部材の各端部を開閉自在にヒンジ結合した本体外郭部と、所定のトルク値において該コネクタ挟持部の該溝部に設けた該窪みとの係合がはずれるボール機構を有する、前記本体外郭部に設けたトルクユニットと、を含む。
【００１２】
前記コネクタ挟持部は２分割された構造であることが好ましい。
【００１３】
前記コネクタ挟持部は、前記外周部の寸法、構造が同じで前記開口部の寸法、形状が異なる複数のコネクタ挟持部が存在し、必要に応じて交換可能となっていることが好ましい。
【００１４】
前記トルクユニットは、係合がはずれるトルク値を目的に応じて設定変更可能であることが好ましい。
【００１５】
前記溝の断面形状がコの字形又はＵ字形であることが好ましい。
【００１６】
前記本体外郭部は、手動で閉止固定及び解除可能なロック機構を有することが好ましい。
【発明の効果】
【００１７】
本発明によれば、通常のトルクレンチの作業空間に対し、約３０％の空間での規定トルクによる締付け作業を実現した。即ち通常のトルクレンチでは作業困難あるいは不可能である狭小箇所において、ねじ式コネクタを一定のトルクで締付けることが可能となり、作業効率の向上やコネクタの締めすぎによる破損、緩みなどによる障害の防止に貢献できると共に、信頼性も向上する。
【発明を実施するための最良の形態】
【００１８】
本発明に係る多角ねじ式コネクタの締付け工具は、狭小部位にあるコネクタを直接手動で回転締付けするためのものであり、その大きさは手で回転させることができる程度の大きさである。またその材質は金属又はプラスチック等を用いることができる。以下のその詳細を示す。
【００１９】
本発明に係る締付け工具は、２つの主要な部材からなる。１つは全体にわたり一定の厚さを持つ円盤状のコネクタ挟持部であり、コネクタの多角ねじ頭部の外形に合わせた開口部を中央に持つ。外周部は全周にわたって溝が切られ、溝の底面には１又は複数の窪み（ボール係合ノッチ）が設けられている。この窪みは後述のトルクユニット（ばね付勢部材）のボール機構のボールと係合するものである。溝の形状は、後述の本体外郭部との保持を兼ねた摺動嵌合に適したもの、及び窪みを設けることが可能であれば特に限定されないが、コの字形又はＵ字形が考えられる。
【００２０】
このコネクタ挟持部は全体が２分割されていることが１つの特徴であり、利点でもある。これにより、締付け対象であるコネクタが狭小位置にあっても、側面から挟み込むことができる。さらに、中央開口部の形状を変えたコネクタ挟持部を締付け対象となるコネクタの多角ねじ頭部の種類に合わせて複数用意しておけば、必要に応じて交換して使用できる。
【００２１】
他の主要部材は、コネクタ挟持部の外周部と摺動嵌合する、円環状の本体外郭部である。摺動嵌合させるためには、本体外郭部の厚さはコネクタ挟持部の溝の幅よりもやや薄く、また円環の内径はコネクタ挟持部の外形より小さくかつ溝部底部の直径よりやや大きくしておけばよい。そしてこの本体外郭部は２つに分割され、２分割した本体外郭部の各端部を開放及び閉止自在にヒンジ結合する。
【００２２】
本体外郭部を開放した時には、２分割したコネクタ挟持部の溝部を２分割した本体外郭部の内側にそれぞれ嵌合でき、この状態で本体外郭部を閉止し、ロック機構で固定すると２つのコネクタ挟持部と２つの本体外郭部がそれぞれ合体して全体が１つの円盤状となる。このように構成することで、本体外郭部はコネクタ挟持部の溝部と摺動可能に嵌合できる。
【００２３】
本体外郭部には、ボール機構を備えたトルクユニットを設ける。ボール機構の先端部に配置するボールは回転自在にコネクタ挟持部の溝部に当接しており、その位置を窪みに合わせると窪みにちょうどはまり込んでコネクタ挟持部と係合し、コネクタ挟持部と本体外郭部とは一体となる。従ってその状態でコネクタ挟持部の開口部にコネクタの多角ねじ頭部（通常六角形）を嵌め込み、本体外郭部を手動で回転させることにより、コネクタの締付けが可能である。しかし所定以上のトルクがかかると、ボールがトルクユニット本体内部に押し込まれて係合がはずれ、コネクタ挟持部と本体外郭部は摺動即ち空回りし、過大なトルクがコネクタにかかるのを防止する。
【００２４】
トルクユニットは、ばね付勢されたボールを有するボール機構を備えるが、ボールは所定のトルクが加わるとトルクユニット本体内に押し込まれ、係合が外れるようになっている。このコイルばねの付勢力を調節するねじを設け、係合が外れるトルク値を設定変更できるように構成することも可能である。
【００２５】
本発明に係る締付け工具を用いることにより、狭小な場所でも適正なトルクでコネクタの締め付け作業が可能となり、またコネクタが適正なトルクで締付けされているかの確認作業もすることができる。
【実施例】
【００２６】
図１は、本発明に係る締付け工具の一実施例の概略平面図である。図１は、内側にコネクタ挟持部３、４を保持した本体外郭部１、２を開放した状態を示す。本実施例においては本体外郭部は２分割され、第１の本体外郭部１及び第２の本体外郭部２からなり、両者はその端部１ａ及び端部２ａをヒンジ部５でヒンジ結合されている。そして第１の本体外郭部１の内周側に第１のコネクタ挟持部３の溝部を嵌合させ、第２の本体外郭部２の内周側に第２のコネクタ挟持部４の溝部８を嵌合させておく。
【００２７】
一般的なねじ式コネクタ（図示せず）の多角ねじ頭部（図示せず）の形状に合わせて、コネクタ挟持部３、４の開口部６は、合体すると六角形となるようにしている。また、コネクタ挟持部３、４の溝部８には４つの窪み（ノッチ）７ａ、７ｂ、７ｃ、７ｄが設けられている。また、本体外郭部２にはボール機構９ａを持つトルクユニット９が設けられ、図１に示すようにボール機構９ａのボール９ｂは窪み７ａに係合させておく。この状態でコネクタ２０の多角ねじ頭部２１を挟んで閉止し、ロック機構１０でロックする。
【００２８】
図２は、図１の状態から本体外郭部１、２を閉止して多角ねじ頭部２１を挟持した状態を示す概略平面図である。コネクタ挟持部３、４の開口部６が合体して六角形となり、コネクタ２０の六角形の多角ねじ頭部２１を挟持嵌合している。第１の本体外郭部１及び第２の本体外郭部２はロック機構１０で固定されている。図２ではロック機構１０は、手動で容易に固定、解除可能なように単純なフック式固定具としている。配置的に可能であれば、本体外郭部１、２を閉止した後の開口部６を多角ねじ頭部２１に嵌め込んで接続、締付けることも考えられる。
【００２９】
図３は、図２の断面図であり、図３（ａ）はIIIＡ−IIIＡ断面、図３（ｂ）はIIIＢ−IIIＢ断面を示す。なお、わかりやすくするため、コネクタ２０は断面とはしていない。図からわかるように溝の断面形状はコの字形であるが、Ｕ字形でも良い。
【００３０】
トルクユニット９は、第２の本体外郭部２に設置されており、ボール機構９ａのボール９ｂがコイルばねによって付勢され、コネクタ挟持部４の溝部８に当接するように配置されている。ボール９ｂは溝部８にある窪みにちょうど係合する大きさであるが、ボール９ｂに所定以上の圧力がかかると、ボール９ｂがトルクユニット９本体内部へ押し込まれ、係合が外れるようになっている。
【００３１】
図２ではボール機構９ａが窪み７ａに嵌まり込んで係合している状態を示す。この状態で本体外郭部１、２を回すとコネクタ挟持部３、４も同時に回転してコネクタ２０を締付けできる。そして所定のトルク以上になると、ボール９ｂの係合が外れ、本体外郭部１、２及びコネクタ挟持部３、４は摺動して空回りする。これによってコネクタ２０を所定のトルクで締付けることができ、必要以上に締付けることを防止する。
【００３２】
締付けが終了後、ロック機構１０を解除して本体外郭部１、２を開放し、コネクタ挟持部３、４をコネクタ２０から外して締付け作業を終了する。
【００３３】
図示しないが、コネクタ挟持部３、４を別の形状、寸法の開口部を持つものに交換することができる。締付けるコネクタの多角ねじ部の寸法や形状が異なる場合、それに合わせた開口部を持つコネクタ挟持部３、４を用意しておき、必要に応じて取り替えることができる。交換は本体外郭部１、２を開放すればコネクタ挟持部３、４がはずれるので、別のコネクタ挟持部３、４を本体外郭部１、２の内周部に嵌合させればよい。
【００３４】
また、ボール機構９ａのコイルばねの付勢力をねじ等により変更できるようにすることで、係合が外れるトルク値を目的及びコネクタの種類に応じて設定変更可能なように構成することもできる。
【００３５】
以上、本発明を上記実施形態に即して説明したが、本発明は上記実施形態の構成にのみ制限されるものでなく、本発明の範囲内で当業者であればなし得るであろう各種変形、修正を含むことは勿論である。
【図面の簡単な説明】
【００３６】
【図１】本発明に係る締付け工具の一実施例の概略平面図（開放時）である。
【図２】本発明に係る締付け工具の一実施例の概略平面図（閉止時）である。
【図３】（ａ）は図２のIIIＡ−IIIＡ断面図、（ｂ）は図２のIIIＢ−IIIＢ断面図である。
【符号の説明】
【００３７】
１  第１の本体外郭部
１ａ  （第１の本体外郭部の）端部
２  第２の本体外郭部
２ａ  （第２の本体外郭部の）端部
３  第１のコネクタ挟持部
４  第２のコネクタ挟持部
５  ヒンジ部
６  開口部
７ａ  窪み（ボール係合ノッチ）
７ｂ  窪み（ボール係合ノッチ）
７ｃ  窪み（ボール係合ノッチ）
７ｄ  窪み（ボール係合ノッチ）
８  溝部
９  トルクユニット（ばね付勢部材）
９ａ  ボール機構
９ｂ  ボール
１０  ロック機構
２０  コネクタ
２１  （コネクタの）多角ねじ頭部
【図１】
2009160708.tif 000003
【図２】
2009160708.tif 000004
【図３】
2009160708.tif 000005